(57)【要約】【課題】クライアント装置などの情報処理装置により生成されたＰＤＬ形式の画像データを、ディジタル複合装置のメモリボックスに格納することができる情報処理装置のプログラムを提供する。【解決手段】クライアントパーソナルコンピュータ３０は、送信側通信端末装置であるディジタル複合装置２０に接続される。クライアントパーソナルコンピュータ３０の主制御部１０１は、画像データをディジタル複合装置２０を介して、例えばディジタル複合装置やファクシミリ装置などの受信側通信端末装置に送信する。ＰＪＬ（プリンタジョブ言語）で記述されたディジタル複合装置２０のメモリボックス指定情報であるメモリボックス番号を、ＰＤＬ（ページ記述言語又はプリンタ記述言語）形式の画像データとともにディジタル複合装置２０に転送送信する（図４のステップＳ３）。【選択図】  図４
2004180005.tif 000002
【特許請求の範囲】
【請求項１】
送信側通信端末装置に接続され、画像データを送信側通信端末装置に送信する情報処理装置のプログラムにおいて、ＰＪＬ（プリンタジョブ言語）で記述された、送信側通信端末装置のメモリボックス指定情報をＰＤＬ（ページ記述言語又はプリンタ記述言語）形式の画像データとともに送信側通信端末装置に送信するステップを含むことを特徴とする情報処理装置のプログラム。
【請求項２】
情報処理装置から、ＰＪＬ（プリンタジョブ言語）で記述された当該通信端末装置のメモリボックス指定情報をＰＤＬ（ページ記述言語又はプリンタ記述言語）形式の画像データとともに受信してメモリボックスの記憶装置に記憶する受信手段と、当該通信端末装置の操作部を用いて入力されたメモリボックス指定情報に基づいて、対応するメモリボックスの記憶装置に記憶されたＰＤＬ形式の画像データを読み出した後、ラスタライズして出力する出力手段とを備えたことを特徴とする通信端末装置。
【請求項３】
上記出力手段は、
（ａ）上記記憶したＰＤＬ形式の画像データをラスタライズしてファクシミリ送信することと、
（ｂ）上記記憶したＰＤＬ形式の画像データをラスタライズしてプリントすることとのうちの少なくとも１つの処理を実行することを特徴とする請求項２記載の通信端末装置。
【請求項４】
上記記憶されたＰＤＬ形式の画像データに関する、文書名称と、作成日時と、作成者名とのうちの少なくとも１つを表示装置に表示する制御手段をさらに備えたことを特徴とする請求項２又は３記載の通信端末装置。
【発明の詳細な説明】
【０００１】
【発明の属する技術分野】
本発明は、画像データを、ディジタル複合装置やファクシミリ装置などの通信端末装置に送信する、パーソナルコンピュータなどの情報処理装置のプログラム、上記情報処理装置から画像データを受信する、ディジタル複合装置やファクシミリ装置などの送信側の通信端末装置に関する。
【０００２】
【従来の技術】
コピー、プリンタ及びスキャナー機能付きファクシミリ装置であるディジタル複合装置と、パーソナルコンピュータなどの複数のクライアント装置とがローカルエリアネットワーク（以下、ＬＡＮという。）を介して接続してなるＬＡＮシステムが実用化されている。この従来技術のＬＡＮシステムにおいて、ディジタル複合装置内のスキャナーは、原稿画像を読み取り画像データに変換した後、各クライアント装置に対応する画像メモリ内のメモリボックスに格納し、各クライアント装置からの転送指示要求信号に応答して画像メモリ内のメモリボックスから画像データを読み出して対応するクライアント装置に対してＬＡＮを介して転送を行う。
【０００３】
また、例えば、特許文献１において、「クライアント装置において作成された原稿画像の画像データをファクシミリ送信の相手先情報とともにディジタル複合装置に送信し、これに応答して、ディジタル複合装置はクライアント装置から受信した画像データを指定された相手先に画像データをファクシミリ送信する」ことが開示されている。
【０００４】
【特許文献１】
特開２００１−３４５９９５号公報
【０００５】
【発明が解決しようとする課題】
しかしながら、従来技術のＬＡＮシステムにおいて、クライアント装置により生成されたＰＤＬ形式の画像データを、ディジタル複合装置のメモリボックスに格納することはできなかった。
【０００６】
本発明の第１の目的は以上の問題点を解決し、クライアント装置などの情報処理装置により生成されたＰＤＬ形式の画像データを、ディジタル複合装置のメモリボックスに格納することができる情報処理装置のプログラムを提供することにある。
【０００７】
また、本発明の第２の目的は以上の問題点を解決し、クライアント装置などの情報処理装置により生成されたＰＤＬ形式の画像データを、ディジタル複合装置のメモリボックスに格納した後、ファクシミリ送信やプリントなどの出力処理を実行できる通信端末装置を提供することにある。
【０００８】
【課題を解決するための手段】
第１の発明に係る情報処理装置のプログラムは、送信側通信端末装置に接続され、画像データを送信側通信端末装置に送信する情報処理装置のプログラムにおいて、ＰＪＬ（プリンタジョブ言語）で記述された、送信側通信端末装置のメモリボックス指定情報をＰＤＬ（ページ記述言語又はプリンタ記述言語）形式の画像データとともに送信側通信端末装置に送信するステップを含むことを特徴とする。
【０００９】
また、第２の発明に係る通信端末装置は、情報処理装置から、ＰＪＬ（プリンタジョブ言語）で記述された当該通信端末装置のメモリボックス指定情報をＰＤＬ形式の画像データとともに受信してメモリボックスの記憶装置に記憶する受信手段と、当該通信端末装置の操作部を用いて入力されたメモリボックス指定情報に基づいて、対応するメモリボックスの記憶装置に記憶されたＰＤＬ（ページ記述言語又はプリンタ記述言語）形式の画像データを読み出した後、ラスタライズして出力する出力手段とを備えたことを特徴とする。
【００１０】
上記通信端末装置において、上記出力手段は、
（ａ）上記記憶したＰＤＬ形式の画像データをラスタライズしてファクシミリ送信することと、
（ｂ）上記記憶したＰＤＬ形式の画像データをラスタライズしてプリントすることとのうちの少なくとも１つの処理を実行することを特徴とする。
【００１１】
また、上記通信端末装置において、上記記憶されたＰＤＬ形式の画像データに関する、文書名称と、作成日時と、作成者名とのうちの少なくとも１つを表示装置に表示する制御手段をさらに備えたことを特徴とする。
【００１２】
【発明の実施の形態】
以下、図面を参照して本発明に係る実施形態について説明する。
【００１３】
＜実施形態＞
図１は、本発明に係る実施形態である、コピー、プリンタ及びスキャナー機能付きのファクシミリ装置であるディジタル複合装置２０を備えたＬＡＮシステムの構成を示すブロック図である。
【００１４】
この実施形態に係るＬＡＮシステムは、複数Ｎ台のクライアントパーソナルコンピュータ３０−１乃至３０−Ｎ（以下、総称して符号３０を付す。）と、公衆電話回線Ｌを介して公衆電話網８０に接続されたディジタル複合装置２０と、インターネット９０に接続されたルータ装置６０とがＬＡＮ７０を介して接続されて構成されてなる。各クライアントパーソナルコンピュータ３０からルータ装置６０やメールサーバ装置（図示せず。）を介してインターネット９０に接続することにより、ホームページの閲覧や電子メールの送受信を行うことができ、また、各クライアントパーソナルコンピュータ３０は、ディジタル複合装置２０に対してアクセスすることにより、当該装置２０が有するコピー、プリンタ、スキャナー及びファクシミリの各機能を共通に利用することができるように構成されている。
【００１５】
この実施形態に係る情報処理装置であるクライアントパーソナルコンピュータ３０は、送信側通信端末装置であるディジタル複合装置２０に接続され、クライアントパーソナルコンピュータ３０の主制御部１０１は、画像データをディジタル複合装置２０を介して、例えばディジタル複合装置やファクシミリ装置などの受信側通信端末装置に送信し、ここで、ＰＪＬ（Ｐｒｉｎｔｅｒ  Ｊｏｂ  Ｌａｎｇｕａｇｅ：プリンタジョブ言語）で記述されたディジタル複合装置２０のメモリボックス指定情報であるメモリボックス番号を、ＰＤＬ（Ｐａｇｅ  Ｄｅｓｃｒｉｐｔｉｏｎ  Ｌａｎｇｕａｇｅ：ページ記述言語をいう。もしくは、Ｐｒｉｎｔｅｒ  Ｄｅｓｃｒｉｐｔｉｏｎ  Ｌａｎｇｕａｇｅ：プリンタ記述言語ともいう。）で記述した形式（以下、ＰＤＬ形式という。）の画像データとともにディジタル複合装置２０に転送送信する（図４のステップＳ３）ことを特徴としている。
【００１６】
また、送信側の通信端末装置であるディジタル複合装置２０の主制御部１は、クライアントパーソナルコンピュータ３０から、ＰＪＬ（プリンタジョブ言語）で記述されたディジタル複合装置２０のメモリボックス番号をＰＤＬ形式の画像データとともに受信して、画像メモリ８内のメモリボックス領域８ａに記憶し（図５のステップＳ１３）、ディジタル複合装置２０の操作部５を用いて入力されたメモリボックス番号に基づいて、上記記憶されたＰＤＬ形式の画像データに関する、文書名称と、作成日時と、作成者名とを表示部４に表示し（図６のステップＳ２６）、対応するメモリボックス番号のメモリボックス領域８ａに記憶されたＰＤＬ形式の画像データを読み出した後、ラスタライズしてファクシミリ送信し（図８のステップＳ４８）又は画像記録部３を用いてプリントする（図８のステップＳ４３）ことを特徴としている。
【００１７】
図２は、図１のクライアントパーソナルコンピュータ３０の構成を示すブロック図である。
【００１８】
図２において、クライアントパーソナルコンピュータ３０は、公知のパーソナルコンピュータである外部端末装置であって、画像データや文字データの生成や記録、格納などの処理を実行する。本実施形態においては、クライアントパーソナルコンピュータ３０は、一例として、スキャナーにより走査された画像データを受信する外部端末装置や、クライアントパーソナルコンピュータ３０で生成された原稿画像の画像データ（例えば、ワードプロセッサのソフトウエアで作成された原稿の画像データをいう。）をディジタル複合装置２０を介して相手先のファクシミリ装置又はディジタル複合装置にファクシミリ送信する情報処理装置として用いられる。
【００１９】
主制御部１０１は具体的にはＣＰＵで構成されており、バス１１３を介して以下のハードウェア各部と接続されていてそれらを制御するほか、後述する種々のソフトウェアの機能を実行する。このクライアントパーソナルコンピュータ３０において、画像読取部及び画像記録部（図示せず。）はオプションで設けられる。表示部１０４は、液晶表示装置（ＬＣＤ）又はＣＲＴディスプレイ等の表示装置であり、当該クライアントパーソナルコンピュータ３０の動作状態を表示したり、送信すべき原稿の画像データ、及び受信した画像データの表示を行う。操作部１０５は、例えばキーボードであり、文字データや指示コマンドを入力するためのものである。
【００２０】
ＲＯＭ１０６は、当該クライアントパーソナルコンピュータ３０の動作に必要であって主制御部１０１によって実行される種々のソフトウェアのプログラムを予め格納する。また、ＲＡＭ１０７は、ＳＲＡＭ、ＤＲＡＭ、ＳＤＲＡＭ等で構成され、主制御部１０１のワーキングエリアとして使用されてプログラムの実行時に発生する一時的なデータを記憶する。さらに、ハードディスクドライブ１０８は、記録媒体を内蔵する記憶装置であり、以下のメモリ領域を含む。
（ａ）プログラムメモリ領域１０８ａ：実行するアプリケーションプログラム（例えば、図４の画像データ転送送信処理のプログラムを含む。）を格納するメモリ領域である。
【００２１】
以上のように構成されたクライアントパーソナルコンピュータ３０において、クライアントパーソナルコンピュータ３０の主制御部１０１は、ディジタル複合装置２０の画像読取部２により走査されて変換された後メモリボックス領域８ａ内の対応するメモリボックスに格納された画像データを自身の装置内に転送するとき、対応するメモリボックスを指示する指示データを含む転送指示要求信号をＬＡＮインターフェース１１２及びＬＡＮ７０を介してディジタル複合装置２０内の主制御部１に対して送信し、これに応答して、ディジタル複合装置２０からＬＡＮ７０を介して送信されてくる画像データを受信してハードディスクドライブ９に格納する。また、主制御部１０１は、画像データをディジタル複合装置２０を介して、例えばディジタル複合装置やファクシミリ装置などの受信側通信端末装置に送信し又はディジタル複合装置２０でプリントするとき、ＰＪＬで記述されたディジタル複合装置２０のメモリボックス指定情報であるメモリボックス番号を、ＰＤＬ形式の画像データとともにディジタル複合装置２０に転送送信する（図４のステップＳ３）。
【００２２】
図３は、図１のディジタル複合装置２０の構成を示すブロック図である。
【００２３】
図３において、ディジタル複合装置２０は、従来のＧ３方式等のファクシミリ通信機能に加えて、コピー、プリンタ、及びスキャナーの各機能を備えている。主制御部１は具体的にはＣＰＵで構成されており、バス１３を介して以下のハードウェア各部と接続されていてそれらを制御するほか、後述する種々のソフトウェアの機能を実行する。画像読取部２は、ＣＣＤ等を利用したスキャナーで原稿を読み取り、白黒２値に変換したドット画像データを出力する。画像記録部３は例えば電子写真方式等のプリンタ装置であり、画像読取部２により走査されて変換された画像データや他のファクシミリ装置からファクシミリ通信により受信した画像データをハードコピーとしてプリントアウトして記録したり、文字データを記録する。
【００２４】
表示部４は、液晶表示装置（ＬＣＤ）又はＣＲＴディスプレイ等の表示装置であり、当該ディジタル複合装置２０の動作状態を表示したり、送信すべき原稿の画像データ、及び受信した画像データの表示を行う。操作部５は、当該ディジタル複合装置２０を操作するために必要な文字キー、ダイヤル用テンキー、短縮ダイヤルキー、ワンタッチダイヤルキー、及び各種のファンクションキー等を備える。なお、上述の表示部４をタッチパネル方式とすることにより、この操作部５の各種キーの内の一部又は全部を代用するように構成してもよい。
【００２５】
ＲＯＭ６は、当該ディジタル複合装置２０の動作に必要であって主制御部１によって実行される種々のソフトウェアのプログラムを予め格納し、本実施形態では、少なくとも、図５の画像データ転送受信処理と、図６乃至図８の文書プリント及びファクシミリ送信処理とを含む。ＲＡＭ７は、ＳＲＡＭ、ＤＲＡＭ、ＳＤＲＡＭ等で構成され、主制御部１のワーキングエリアとして使用されてプログラムの実行時に発生する一時的なデータを記憶する。なお、ＲＡＭ７としてフラッシュメモリを使用した場合には、停電、装置の移動等のために電源が遮断された場合にもそのデータの内容が失われない。ここで、ＲＡＭ７は、以下のテーブルを格納する。
（ａ）メモリボックス管理テーブル７ａ：画像メモリ８内のメモリボックス領域８ａを管理するためのテーブルであって、ＬＡＮ７０に接続されたクライアントパーソナルコンピュータ３０又はそのユーザに対応して付与されるメモリボックス番号と、画像メモリ８における画像データの格納アドレスと、クライアントパーソナルコンピュータ３０又はそのユーザの電子メールアドレス（ファクシミリ受信の通知など、必要があるとき）とを格納する。
【００２６】
画像メモリ８はＤＲＡＭ等で構成され、送信すべき画像データ又は受信した画像データ、もしくは走査されて変換された画像データを記憶する。ここで、画像メモリ８は、複数のクライアントパーソナルコンピュータ３０又はそのユーザに対応した複数のメモリボックスに区分されたメモリボックス領域８ａを備える。各クライアントパーソナルコンピュータ３０は対応するメモリボックスに、ファクシミリ機能により送受信される画像データ、もしくは、スキャナー機能又はコピー機能により走査されて変換された画像データ、プリンタ機能を用いるときの画像データを転送して一時的に格納し、当該メモリボックスから読み出すときは、転送指示要求信号を送信することにより対応するメモリボックスから読み出して転送させる。さらに、ハードディスクドライブ９は、記録媒体を内蔵する記憶装置であり、種々のデータやプログラムを格納する。
【００２７】
ファックスモデム１０は、公衆電話回線Ｌに接続され、通常のファクシミリ通信用のファックスモデムの機能を有するモデムである。ＮＣＵ（ネットワーク制御回路：Ｎｅｔｗｏｒｋ  Ｃｏｎｔｒｏｌ  Ｕｎｉｔ）１１はアナログの公衆電話回線Ｌの直流ループなどの閉結及び開放の動作を行いかつ自動ダイヤル機能を有するハードウェア回路であり、必要に応じてファックスモデム１０を公衆電話回線Ｌに接続する。ここで、ＮＣＵ１１は、発信電話番号通知サービスにおけるＩＤ受信端末起動信号、通常の電話呼出信号の検出を行うとともに、必要に応じて発信電話番号通知サービスにおける１次応答信号及び２次応答信号を発信することができる。なお、ＮＣＵ１１を所定のターミナルアダプタ及びＤＳＵ（加入者線終端装置：Ｄｉｇｉｔａｌ  Ｓｅｒｖｉｃｅ  Ｕｎｉｔ）を介して、ベースバンド伝送方式のディジタル回線（例えば、ＩＳＤＮ回線）に接続するようにしてもよい。
【００２８】
さらに、ＬＡＮインターフェース１２は、ＬＡＮ７０に接続され、ＬＡＮ７０からの信号やデータを受信する一方、ＬＡＮ７０に対して信号やデータを送信して信号変換やプロトコル変換などのＬＡＮ通信に係るインターフェース処理を実行する。
【００２９】
以上のように構成されたディジタル複合装置２０のファクシミリ通信機能において、各クライアントパーソナルコンピュータ３０−１乃至３０−Ｎから転送されたドット画像データ、又は画像読取部２により読み取られたドット画像データはファクシミリ通信の規格で定められているＭＨ，ＭＲ，ＭＭＲ等の符号化方式に従ってソフトウェアにより符号化された後、相手先のファクシミリ装置に送信される一方、逆に相手先のファクシミリ装置から受信した符号化データもソフトウェアにより画像データに復号化された後、画像メモリ８に格納され、必要に応じて画像記録部３でプリントされる。
【００３０】
本実施形態では、ＰＪＬのセットデータを用いて、送信し又はプリントする画像データに関する情報を送信し、ＰＪＬびコメントデータを用いて、送信し又はプリントする画像データのさらに詳細な情報（独自で使用できるＰＪＬの定義情報をいう。）を送信する。ここで、ＰＪＬのセットデータは、例えば、以下のデータを含む。
（ａ）画像解像度、
（ｂ）出力部数、
（ｃ）画像濃度の設定、
（ｄ）ソート出力がオン又はオフ。
【００３１】
また、ＰＪＬのコメントデータは、以下のデータを含む。
（ａ）例えば、親展プリント、親展通信、ＰＤＬ形式の送信などの特別な処理の指定、
（ｂ）送信側のデータ出力者名（又はＩＤ番号）、
（ｃ）フォルダ名、
（ｄ）親展プリントがオン又はオフ、親展通信がオン又はオフ（必要に応じて）、
（ｅ）メモリボックス番号、
（ｆ）相手先のファクシミリ番号（必要に応じて）。
【００３２】
さらに、ＰＤＬ形式の画像データをディジタル複合装置２０で親展プリントするときの、ＰＪＬで記述されたセットデータ及びコメントデータ（メモリボックス指定情報であるメモリボックス番号を含む。）、並びに画像データのデータフォーマットの一例を以下の表１に示す。なお、←の後ろの文章は注釈文（説明）であり、以下同様である。また、ＭＭＬはマイクロ・メインフレーム・リンク（Ｍｉｃｒｏ  Ｍａｉｎｆｒａｍｅ  Ｌｉｎｋ）の略であり、ディジタル複合装置２０などのＯＡ機器とクライアントパーソナルコンピュータ３０との間の情報処理方式であり両者間のファイル転送機能、ファイル変換機能、ホストファイルアクセス機能などを有する。
【００３３】
【表１】
2004180005.tif 000003
【００３４】
次いで、ＰＤＬ形式のドキュメント情報のデータフォーマットの一例を以下の表２に示す。
【００３５】
【表２】
2004180005.tif 000004
2004180005.tif 000005
【００３６】
図４は、図２のクライアントパーソナルコンピュータ３０の主制御部１０１によって実行される画像データ転送送信処理を示すフローチャートである。
【００３７】
図４のステップＳ１において、まず、メモリボックス番号を含むＰＪＬのコメントデータの情報を操作部１０５を用いて入力し、ステップＳ２において、プリント又はファクシミリ送信する画像データを、例えばワードプロセッサのアプリケーションソフトウエア等を用いて生成し、ＰＪＬで記述したＰＤＬ形式の画像データに変換する。次いで、ステップＳ３においてＰＪＬのセットデータ及びコメントデータ、並びにＰＪＬで記述されたＰＤＬ形式の画像データをディジタル複合装置２０に送信し、ステップＳ４において全てのデータの送出が完了したか否かが判断され、ＮＯのときはステップＳ３に戻る一方、ＹＥＳのときは当該画像データ転送送信処理を終了する。
【００３８】
図５は、図３のディジタル複合装置２０の主制御部１によって実行される画像データ転送受信処理を示すフローチャートである。
【００３９】
図５のステップＳ１１において、まず、クライアントコンピュータ３０からＰＪＬ及びＰＤＬのデータを受信したか否かが判断され、ＹＥＳとなるまでステップＳ１１の処理を繰り返し、ＹＥＳとなったときに、ステップＳ１２においてＰＪＬのコメントデータで通知されたメモリボックス番号と一致するメモリボックス番号がメモリボックス管理テーブル７ａにあるか否かが判断され、ＹＥＳのときはステップＳ１３に進む一方、ＮＯのときはステップＳ１５に進む。ステップＳ１３では、通知されたメモリボックス番号と一致するメモリボックス領域８ａにＰＪＬ及びＰＤＬのデータを蓄積し、ステップＳ１４において全てのデータの蓄積を完了したか否かが判断され、ＮＯのときはステップＳ１３に戻る一方、ＹＥＳのときは当該画像データ転送受信処理を終了する。一方、ステップＳ１５において、エラー通知レポートの電子メールをデータを送信したクライアントコンピュータ３０に返信する。
【００４０】
図６乃至図８は、図３のディジタル複合装置２０の主制御部１によって実行される文書プリント及びファクシミリ送信処理を示すフローチャートである。
【００４１】
図６のステップＳ２１において、まず、メモリボックス番号を操作部５を用いて入力し、ステップＳ２２において入力されたメモリボックス番号と一致するメモリボックス番号がメモリボックス管理テーブル７ａにあるか否かが判断され、ＹＥＳのとき、ステップＳ２３において入力されたメモリボックス番号のメモリボックス領域８ａに文書の画像データがあるか否かが判断される。ステップＳ２２又はＳ２３でＮＯのときは、ステップＳ２４で拒絶ブザーを鳴動させた後、ステップＳ２１に戻り、もう一度メモリボックス番号を入力する。一方、ステップＳ２２及びＳ２３でともにＹＥＳであるときは、ステップＳ２５において文書の画像データはＰＤＬ形式の文書であるか否かが判断され、ＹＥＳのときはステップＳ２６に進む一方、ＮＯのときはステップＳ２７に進む。ステップＳ２６において当該文書の文書名称、作成日時、及び作成者名を表示部４に表示してステップＳ２８に進む。一方、ステップＳ２７において当該文書の画像データの画像、及び作成日時をそれぞれ画像メモリ８及びメモリボックス管理テーブル７ａから読み出して表示部４に表示する。さらに、ステップＳ２８において停止キーを押下したか否かが判断され、ＹＥＳのときは当該文書プリント及びファクシミリ送信処理を終了する一方、ＮＯのときは図７のステップＳ３１に進む。
【００４２】
図７のステップＳ３１において前文書選択キーを押下したか否かが判断され、ＮＯのときはステップＳ３３に進む一方、ＹＥＳのときはステップＳ３２に進み、作成日時の１つ古い文書を指定されたメモリボックス番号のメモリボックス領域８ａから検索した後、図６のステップＳ２５に戻る。次いで、ステップＳ３３において後文書選択キーを押下したか否かが判断され、ＮＯのときはステップＳ３５に進む一方、ＹＥＳのときはステップＳ３４に進む。ステップＳ３４において作成日時の１つ新しい文書を検索した後、図６のステップＳ２５に戻る。そして、ステップＳ３５において文書詳細表示キーを押下したか否かが判断され、ＮＯのときは図８のステップＳ４１に進む一方、ＹＥＳのときはステップＳ３６に進む。ステップＳ３６において文書の画像データはＰＤＬ形式の文書であるか否かが判断され、ＮＯのときはステップＳ３７に進む一方、ＹＥＳのときはステップＳ３８に進む。ステップＳ３７では拒絶ブザーを鳴動させた後、図６のステップＳ２５に戻る。一方、ステップＳ３８においてＰＤＬ形式のテキスト文書の内容を表示部４に表示し、ステップＳ３９において標準表示キーを押下したか否かが判断され、ＮＯのときはステップＳ３８に進む一方、ＹＥＳのときは図６のステップＳ２５に戻る。
【００４３】
図８のステップＳ４１においては、文書プリントキーを押下したか否かが判断され、ＹＥＳのときはステップＳ４２に進む一方、ＮＯのときはステップＳ４５に進む。ステップＳ４２において文書の画像データはＰＤＬ形式の文書であるか否かが判断され、ＹＥＳのときはステップＳ４３に進む一方、ＮＯのときはステップＳ４４に進む。ステップＳ４３においてＰＤＬ形式の文書の画像データをラスタライズして画像記録部３を用いてプリントして当該文書プリント及びファクシミリ送信処理を終了する。一方、ステップＳ４４において符号化された画像データを復号化して画像記録部３を用いてプリントして当該文書プリント及びファクシミリ送信処理を終了する。
【００４４】
次いで、ステップＳ４５において文書送信キーを押下したか否かが判断され、ＹＥＳのときはステップＳ４６に進む一方、ＮＯのときは図６のステップＳ２５に戻る。ステップＳ４６において相手先のファクシミリ番号を操作部５を用いて入力し（クライアントパーソナルコンピュータ３０からＰＪＬのコメントデータで相手先のファクシミリ番号が指定されていないときに限る。）、ステップＳ４７において文書の画像データはＰＤＬ形式の文書であるか否かが判断され、ＹＥＳのときはステップＳ４８に進む一方、ＮＯのときはステップＳ４９に進む。ステップＳ４８においてＰＤＬ形式の文書の画像データをラスタライズして相手先のファクシミリ装置のファクシミリ能力に従って再符号化してファクシミリに送信して当該文書プリント及びファクシミリ送信処理を終了する。一方、ステップＳ４９において符号化された画像データを復号化して相手先のファクシミリ装置のファクシミリ能力に従って再符号化してファクシミリ送信して当該文書プリント及びファクシミリ送信処理を終了する。
【００４５】
以上説明したように、本実施形態によれば、クライアントパーソナルコンピュータ３０の主制御部１０１は、画像データをディジタル複合装置２０を介して、例えばディジタル複合装置やファクシミリ装置などの受信側通信端末装置に送信し、ここで、ＰＪＬで記述されたディジタル複合装置２０のメモリボックス指定情報であるメモリボックス番号を、ＰＤＬ形式の画像データとともにディジタル複合装置２０に転送送信する（図４のステップＳ３）。従って、ＰＤＬ形式の画像データをそのままメモリボックス領域８ａに格納できるので、そのメモリ消費を大幅に削減でき、しかも指定されたメモリボックス番号に画像データを格納するので、その画像データの管理を容易に行える。
【００４６】
また、送信側の通信端末装置であるディジタル複合装置２０の主制御部１は、クライアントパーソナルコンピュータ３０から、ＰＪＬで記述されたディジタル複合装置２０のメモリボックス番号をＰＤＬ形式の画像データとともに受信して、画像メモリ８内のメモリボックス領域８ａに記憶し（図５のステップＳ１３）、ディジタル複合装置２０の操作部５を用いて入力されたメモリボックス番号に基づいて、上記記憶されたＰＤＬ形式の画像データに関する、文書名称と、作成日時と、作成者名とを表示部４に表示し（図６のステップＳ２６）、対応するメモリボックス番号のメモリボックス領域８ａに記憶されたＰＤＬ形式の画像データを読み出した後、ラスタライズしてファクシミリ送信し（図８のステップＳ４８）又は画像記録部３を用いてプリントする（図８のステップＳ４３）。従って、ＰＤＬ形式の画像データをそのままメモリボックス領域８ａに格納できるので、そのメモリ消費を大幅に削減でき、しかも指定されたメモリボックス番号に画像データを格納するので、その画像データの管理を容易に行える。また、入力されたメモリボックス番号に基づいて、記憶されたＰＤＬ形式の画像データに関する、文書名称と、作成日時と、作成者名とを表示部４に表示するので、当該文書の管理情報を容易に表示可能である。
【００４７】
＜変形例＞
以上の実施形態においては、ディジタル複合装置２０の例について述べているが、本発明はこれに限らず、ファクシミリ機能を有するファクシミリ装置やファクシミリサーバ装置などに広く適用することができる。
【００４８】
以上の実施形態においては、ディジタル複合装置２０から送信する画像データはクライアントパーソナルコンピュータ３０により作成しているが、本発明はこれに限らず、ディジタル複合装置２０において原稿画像を走査してメモリボックス領域８ａに格納するようにしてもよい。この場合のスキャン処理を図９に示す。
【００４９】
図９のステップＳ５１においてメモリボックス番号を操作部５を用いて入力し、ステップＳ５２において読み取り開始キーを押下したか否かが判断され、ＮＯのときはステップＳ５１に戻る一方、ＹＥＳのときはステップＳ５３に進む。ステップＳ５３においてメモリボックス番号がメモリボックス管理テーブル７ａにあるか否かが判断され、ＮＯのときはステップＳ５４に進む一方、ＹＥＳのときはステップＳ５５に進む。ステップＳ５４において拒絶ブザーを鳴動させた後、ステップＳ５１に戻る。一方、ステップＳ５５において画像読取部２に載置された原稿の画像を読み取り、画像データに符号化及び圧縮して画像メモリ８に蓄積し、ステップＳ５６において全ページの原稿読み取りが完了したか否かが判断され、ＮＯのときはステップＳ５５に戻る一方、ＹＥＳのときはステップＳ５７に進む。さらに、ステップＳ５７において当該画像文書の作成日時をメモリボックス管理テーブル７ａに記憶して当該スキャン処理を終了する。
【００５０】
以上の実施形態においては、メモリボックス領域８ａに記憶されたＰＤＬ形式の画像データに関する、文書名称と、作成日時と、作成者名とを表示部４に表示しているが（図６のステップＳ２６）、本発明はこれに限らず、文書名称と、作成日時と、作成者名のうちの少なくとも１つを表示部４に表示してもよい。
【００５１】
【発明の効果】
以上詳述したように本発明に係る情報処理装置のプログラムによれば、送信側通信端末装置に接続され、画像データを送信側通信端末装置に送信する情報処理装置のプログラムにおいて、ＰＪＬで記述された、送信側通信端末装置のメモリボックス指定情報をＰＤＬ形式の画像データとともに送信側通信端末装置に送信するステップを含む。従って、ＰＤＬ形式の画像データをそのままメモリボックスに格納できるので、そのメモリ消費を大幅に削減でき、しかも指定されたメモリボックスに画像データを格納するので、その画像データの管理を容易に行える。
【００５２】
また、第２の発明に係る通信端末装置によれば、情報処理装置から、ＰＪＬで記述された当該通信端末装置のメモリボックス指定情報をＰＤＬ形式の画像データとともに受信してメモリボックスの記憶装置に記憶する受信手段と、当該通信端末装置の操作部を用いて入力されたメモリボックス指定情報に基づいて、対応するメモリボックスの記憶装置に記憶されたＰＤＬ形式の画像データを読み出した後、ラスタライズして出力する出力手段とを備える。ここで、上記出力手段は、（ａ）上記記憶したＰＤＬ形式の画像データをラスタライズしてファクシミリ送信することと、（ｂ）上記記憶したＰＤＬ形式の画像データをラスタライズしてプリントすることとのうちの少なくとも１つの処理を実行する。従って、ＰＤＬ形式の画像データをそのままメモリボックスに格納できるので、そのメモリ消費を大幅に削減でき、しかも指定されたメモリボックスに画像データを格納するので、その画像データの管理を容易に行える。
【００５３】
また、上記通信端末装置において、上記記憶されたＰＤＬ形式の画像データに関する、文書名称と、作成日時と、作成者名とのうちの少なくとも１つを表示装置に表示する制御手段をさらに備える。従って、入力されたメモリボックス指定情報に基づいて、記憶されたＰＤＬ形式の画像データに関する、文書名称と、作成日時と、作成者名とを表示部４に表示するので、当該文書の管理情報を容易に表示可能である。
【図面の簡単な説明】
【図１】本発明に係る実施形態である、コピー、プリンタ及びスキャナー機能付きのファクシミリ装置であるディジタル複合装置２０を備えたＬＡＮシステムの構成を示すブロック図である。
【図２】図１のクライアントパーソナルコンピュータ３０の構成を示すブロック図である。
【図３】図１のディジタル複合装置２０の構成を示すブロック図である。
【図４】図２のクライアントパーソナルコンピュータ３０の主制御部１０１によって実行される画像データ転送送信処理を示すフローチャートである。
【図５】図３のディジタル複合装置２０の主制御部１によって実行される画像データ転送受信処理を示すフローチャートである。
【図６】図３のディジタル複合装置２０の主制御部１によって実行される文書プリント及びファクシミリ送信処理の第１の部分を示すフローチャートである。
【図７】図３のディジタル複合装置２０の主制御部１によって実行される文書プリント及びファクシミリ送信処理の第２の部分を示すフローチャートである。
【図８】図３のディジタル複合装置２０の主制御部１によって実行される文書プリント及びファクシミリ送信処理の第３の部分を示すフローチャートである。
【図９】図３のディジタル複合装置２０の主制御部１によって実行される、変形例に係るスキャン処理を示すフローチャートである。
【符号の説明】
１…主制御部、
２…画像読取部、
３…画像記録部、
４…表示部、
５…操作部、
６…ＲＯＭ、
７…ＲＡＭ、
７ａ…メモリボックス管理テーブル、
８…画像メモリ、
８ａ…メモリボックス領域、
９…ハードディスクドライブ、
１０…ファックスモデム、
１１…ＮＣＵ、
１２…ＬＡＮインターフェース、
１３…バス、
２０…ディジタル複合装置、
３０，３０−１乃至３０−Ｎ…クライアントパーソナルコンピュータ、
６０…ルータ装置、
７０…ローカルエリアネットワーク（ＬＡＮ）、
８０…公衆電話網、
９０…インターネット、
１０１…主制御部、
１０４…表示部、
１０５…操作部、
１０６…ＲＯＭ、
１０７…ＲＡＭ、
１０８…ハードディスクドライブ、
１０８ａ…プログラムメモリ領域、
１１２…ＬＡＮインターフェース、
１１３…バス。
【図１】
2004180005.tif 000006
【図２】
2004180005.tif 000007
【図３】
2004180005.tif 000008
【図４】
2004180005.tif 000009
【図５】
2004180005.tif 000010
【図６】
2004180005.tif 000011
【図７】
2004180005.tif 000012
【図８】
2004180005.tif 000013
【図９】
2004180005.tif 000014